Podtech/llm-jp-corpus-v4-ja_patent huggingface dataset:
(57)【要約】      （修正有）【課題】チューブを切断し倒立固定したまま残存物を目視しつつ最後まで無駄なく使用することを可能にするチューブ内残存物回収用チューブ倒立納置用具を提供する。【解決手段】上下に分かれる中空状の用具の下部に樹脂またはゴムからなる、周縁部の一部が切り欠いてあり内側方向に放射状の係止弁を有する固定具４を内蔵している。上下に分かれる中空状の用具の上部には、ラベル内嵌部７を凹設した蓋１であって透明なラベル保護キャップ３を冠着させて有る。【選択図】図２
0003168612.tif 000002
【実用新案登録請求の範囲】
【請求項１】
上下に分かれる中空状の用具の下部に樹脂またはゴムからなる、周縁部の一部が切り欠いてあり内側方向に放射状の係止弁を有する固定具を内蔵していることを特徴とするチューブ内残存物回収用チューブ倒立納置用具。
【請求項２】
上下に分かれる中空状の用具の上部には、ラベル内嵌部を凹設した蓋であって透明なラベル保護キャップを冠着させて有ることを特徴とする、チューブ内残存物回納置用具。
【考案の詳細な説明】
【技術分野】
【０００１】  本考案は、チューブ内の残存物を絞り出す方法ではなくチューブを切断し、倒立固定させチューブ内を目視しつつ残量を最後まで無駄なく衛生的に回収することを可能にする用具に関するものである。
【背景技術】
【０００２】  従来、チューブに残存物がある場合、絞り出し具を用いて強い力を加えられるようにし出来るだけ最後まで絞り出す方法が考えられていた。（特許文献１、特許文献２）【０００３】  また、チューブを切開し回収具を挿入して残留物を回収する方法も考えられていた。（特許文献３）
【先行技術文献】
【特許文献】
【０００４】
【特許文献１】特許公開２０１０−２２８７７１号公報
【特許文献２】登録実用新案第３０８２５２２号公報
【特許文献３】特許公開２００８−２３０６９５号公報
【考案の概要】
【考案が解決しようとする課題】
【０００５】  しかしながら、チューブ内の残存物回収を特許文献１、特許文献２に記載のような絞り出し具を用いる方法ではチューブの太さや長さがある程度限定されるうえにチューブ内を目視するものではなく正確に残量を把握することはできなかった。【０００６】  また、特許文献３に記載の回収具による方法では、回収具がチューブのサイズに合っていなければ使用できなかった。よってこれらの点を解決しようとするものである。
【課題を解決するための手段】
【０００７】  本考案は、チューブ内の残存物を回収し使用する際に必要としていた絞り具や回収具などを使用せずチューブを切断し倒立固定したまま残存物を目視しつつ最後まで無駄なく使用することを可能にしている。【０００８】  また、本考案のチューブ内残存物回収用チューブ倒立納置用具は内蔵しているチューブ固定具の係止弁が強固ではないためチューブのサイズを限定せずに使用できる。
【考案の効果】
【０００９】  上述のように、、チューブの大きさに多少の差異があっても使用できるものであり、一度だけの納置で済むうえ、蓋と取り出し棒もあるため最後まで衛生的に回収できチューブ内の残存物の無駄な廃棄を防ぐことの問題を解決している。【００１０】  チューブを切断し倒立させて残存物を集め目視しつつ最後まで使い切れるうえ、蓋のキャップに好みのラベルを入れられて交換も簡単にできるためインテリア性も向上が図れ、常に楽しい気分で使用することができる。
【図面の簡単な説明】
【００１１】
【図１】本考案の実施例を示す全体図である
【図２】図１における全体の断面図である
【図３】図２における固定具の斜視図である
【図４】図３における固定具の正面図である
【図５】図２における蓋部分の分解斜視図である
【考案を実施するための形態】
【００１２】  本考案のチューブ内残存物回収用チューブ倒立納置用具を図１及び図２により基本的な構成を示した実施例に基づき一例を具体的に説明する。
【００１３】  本考案のチューブ内残存物回収用チューブ倒立納置用具は図２に示したように中空部を有する容具本体２の内側中央よりやや下部分にチューブ固定具４を装着している。
【００１４】  上述のチューブ固定具４は放射状に係止弁を有し、チューブを固着するが係止弁が強固ではないためチューブのサイズを限定せずに係止できるような構造となっている。
【００１５】  本考案のチューブ固定具４の周縁部には残存物をかき出すための取り出し棒６が挿着できるよう取り出し棒挿入用切欠部５を設ける。
【００１６】  本考案における蓋１の上面には内容物判別などに有効なラベルや好みの写真などを嵌着させる場合により密着させることができ、なおかつラベルのしわやよれが起きるのを防げるようラベル内嵌部７を凹設している。
【００１７】  上記の蓋１には、ラベル内嵌部７に設置したラベルや写真などを保護し、また美観を向上させるための蓋用ラベル保護キャップ３を冠着させている。
【実施例】
【００１８】  例えば、この実施例では樹脂製で中空円柱状の、本体と蓋とに分かれる容器の中空状の下部分に固定具をセットしているというものであるが形状は必ずしも中空円柱状ではなく、保管コストや輸送コストを軽減させるために角柱状の物でも良いとする。チューブ固定具４については軟質の樹脂やゴムなどからなる例えばケーブルやコードを挿入するためのブッシングのようなものが適している。蓋の上部にあるラベル内嵌部７を保護するための蓋用ラベル保護キャップ３はラベルや写真などが鮮明に見えるように透明な樹脂製であることが望ましい。
【産業上の利用可能性】
【符号の説明】
【００１９】１  蓋
２  用具本体
３  蓋用ラベル保護キャップ
４  チューブ固定具
５  取り出し棒挿入用切欠部
６  取り出し棒
７  ラベル内嵌部
【図１】
0003168612.tif 000003
【図２】
0003168612.tif 000004
【図３】
0003168612.tif 000005
【図４】
0003168612.tif 000006
【図５】
0003168612.tif 000007
【手続補正書】
【提出日】平成23年3月17日(2011.3.17)
【手続補正１】
【補正対象書類名】実用新案登録請求の範囲
【補正対象項目名】全文
【補正方法】変更
【補正の内容】
【実用新案登録請求の範囲】
【請求項１】
上下に分かれる中空状の用具の下部に樹脂またはゴムからなる、周縁部の一部が切り欠いてあり内側方向に放射状の係止弁を有する固定具を内蔵していることを特徴とするチューブ内残存物回収用チューブ倒立納置用具。
【請求項２】
上下に分かれる中空状の用具の上部には、ラベル内嵌部を凹設した蓋であって透明なラベル保護キャップを冠着させて有ることを特徴とする、請求項１記載のチューブ内残存物回収用チューブ倒立納置用具。
(57)【要約】      （修正有）【課題】机や紙等に置いた状態では、常に少し浮いた状態となり、指や爪で容易につまみ上げたり移動出来る定規を提供する。【解決手段】定規１の中央部に、Ｕ字形状の切り欠け部２が設けられており、該切り欠け部２の裏面に、０．１ｍｍ〜１ｍｍの範囲内の突起部３が更に設けられているため、机や紙等に置いた状態では、突起部により常に少し浮いた状態となるため、指や爪で容易につまみ上げたり移動出来、従来の定規の押圧と同じ程度の力で押さえるだけで切り欠け部が上に上がるため容易に測定や線引きの出来る優れた定規となる。【選択図】図２
0003168614.tif 000002
【実用新案登録請求の範囲】
【考案の詳細な説明】
【技術分野】
【０００１】  本考案は、定規に関し、机等に密着しない定規に関するものである。
【背景技術】
【０００２】  従来、長さを測定したり、線を引くためのものさし、いわゆる定規は１ｍｍ〜３ｍｍ程度の板状のものから形成されている。【０００３】  一方で板状の平面を机や紙等に指等でズレないように押さえて使用するため、机等の表面に定規の裏面が密着してしまい、使用中に指や爪で定規を容易につまみ上げたり移動出来なる事が有り、これを解決するために、アッシュコンセプト社製の商品名「アーチルーラー」のように定規自体を成形して製造する際に大きく湾曲させた商品が提案されている。
【考案の概要】
【０００４】  しかしながら上記「アーチルーラー」は、使用時に真ん中を真下方向に確実に押さえなければならず、定規の目盛り部分を、測定したい線や線引きしたい箇所に確実に合わせるためには大変不便なものであった。
【０００５】  更に定規自体が大きく湾曲しているため、筆箱やカバン等に収納する際に場所も取り、更にはその形状から傷つき易いという問題点が有った。
【問題を解決するための手段】
【０００６】  上記課題を解決するために本考案は、定規（１）の中央部に、Ｕ字形状の切り欠け部（２）が設けられており、該切り欠け部（２）の裏面に、０．１ｍｍ〜１ｍｍの範囲（４）内の突起部（３）が更に設けられている。
本考案は以上のような構成からなる定規である。
【考案の効果】
【０００７】  本考案の定規は以上のような構成であるため、机や紙等に置いた状態では、切り欠け部の裏面に設けられた突起部により、常に少し浮いた状態となるため、指や爪で容易につまみ上げたり移動出来る優れたものとなる。
【０００８】  使用の際には定規の目盛り部分を測定箇所にすぐに当てがう事が出来、従来の定規の押圧と同じ程度の力で押さえるだけで切り欠け部が上に上がるため、容易に線引きが出来る優れたものとなる。
【０００９】  更に切り欠け部裏面の突起部も０．１ｍｍ〜１ｍｍの範囲の極小の出っ張りのため、筆箱やカバン等に収納しても従来の定規と同様に収まりの良いものとなる。
【００１０】  特に切り欠け部が、二の字形状として形成されたものは、万が一突起部が何かに引っかかっても切り欠け部を損傷する事のない優れた定規となる。
【図面の簡単な説明】
【００１１】
【図１】本考案の一実施例を示す斜視図である。
【図２】本考案の一実施例を示す斜視図である。
【図３】本考案の一実施例を示す斜視図である。
【図４】本考案の一実施例を示す斜視図である。
【図５】本考案の一実施例を示す一部正面図である。
【考案を実施するための形態】
【００１２】  本考案における定規の大きさ、形状、デザイン、材質、製造方法等は特に限定されない。
【００１３】  切り欠け部の設けられる幅は、定規によってまちまちであるが、定規の厚みと同程度の幅が良い。又その位置も定規の中央部が常に定規を浮いた状態とするために好ましい。
【００１４】  突起部も０．１ｍｍ〜１ｍｍの範囲内で特に０．３ｍｍ〜０．７ｍｍの範囲のものが使いやすく最適となり、その形状もなるべく引っかからないように円や楕円の様に面取りしてあるものが好ましい。
【００１５】  特に突起部は一体成形する場合以外は、突起形状の０．１ｍｍ〜１ｍｍの範囲内のシールを貼り付けて設ければ生産性やコストの面から好ましい。
以下、実施例と図に基づき説明する。
【実施例】
【００１６】  以下、本考案の一実施例を図１、図２、図３、図４及び図５で説明するがこれによって本考案は何ら限定されるものではない。【００１７】  図１は、本考案の一例の斜視図である。直線用の定規（１）の中央部にＵ字形状の切り欠け部（２）が設けられている。【００１８】  図２は、図１の裏面からの斜視図であり、Ｕ字形状の裏面に０．５ｍｍ程度の円形の突起部（３）が設けられている。【００１９】  図３は、本考案の別の一例の斜視図であり、直線用の定規（１）の中央部に二の字形状の切り欠け部（２）が設けられている。【００２０】  図４は、図３の裏面からの斜視図であり、二の字形状の裏面に０．５ｍｍ程度の四角形状で面取りされた突起部（３）が設けられている。【００２１】  図５は、図１の定規（１）の正面図であり、０．５ｍｍ程度の範囲（４）内で突起部（３）が形成された事を示している。
【産業上の利用の可能性】
【００２２】  定規の中央部にＵ字形状又は二の字形状の切り欠け部が設けられ、該切り欠け部の裏面に０．１ｍｍ〜１ｍｍの範囲内で設けられた突起部により、常に定規が少し浮いた状態となるため、机や紙等の平面に密着することがなく指や爪で容易につまみ上げたり、移動が出来る優れた定規となる。
【００２３】  切り欠け部の突起部も０．１ｍｍ〜１ｍｍの範囲内の極小の出っ張りのため、定規の目盛り部分も測定箇所にすぐに当てがう事が出来、従来の定規の押圧と同程度の力で押さえるだけで切り欠け部が上に上がり容易に測定や線引きが出来る優れたものとなる。
【００２４】  特に切り欠け部が二の字形状として形成されたものは万が一突起部に何かが引っかかっても切り欠け部を損傷する事のない定規となり、筆箱やカバン等に収納しやすいものとなる。
【符号の説明】
【００２５】  １  定規        ２，２´  切り欠け部        ３  突起部
４  ０．１ｍｍ〜１ｍｍの範囲
【図１】
0003168614.tif 000003
【図２】
0003168614.tif 000004
【図３】
0003168614.tif 000005
【図４】
0003168614.tif 000006
【図５】
0003168614.tif 000007
【手続補正書】
【提出日】平成23年3月28日(2011.3.28)
【手続補正１】
【補正対象書類名】実用新案登録請求の範囲
【補正対象項目名】全文
【補正方法】変更
【補正の内容】
【実用新案登録請求の範囲】
【請求項１】
定規（１）の中央部に、Ｕ字形状の切り欠け部（２）が設けられており、該切り欠け部（２）の裏面に、０．１ｍｍ〜１ｍｍの範囲（４）内の突起部（３）が更に設けられた事を特徴とする定規（１）。
【請求項２】
前記切り欠け部（２）が、二の字形状として設けられる事を特徴とする請求項１に記載の定規（１）。
(57)【要約】      （修正有）【課題】着脱の不便さを解消し、高齢者でも女性でも普段から着用でき、サイズ調整も簡単な、補助ベルト付むくみ防止脚用サポーターを提供する。【解決手段】脚サポーター本体１に取り付けた補助ベルト２、３が後ろ脇から前をとおり、補助ベルト２、３の内側に取り付けた面ファスナーオスと反対側で本体１に取り付けた面ファスナーメス４、５と接続する。【選択図】図１
0003168613.tif 000002
【実用新案登録請求の範囲】
【請求項１】
脚サポーター本体▲１▼の後側に上下に取り付けた、補助ベルト▲２▼及び▲３▼の内側に付けた面ファスナーオス▲６▼▲７▼が、後ろ脇から前をとおり、反対側の脇で面ファスナー▲４▼▲５▼で接続することを特長とする補助ベルト付むくみ防止脚用サポーター
【考案の詳細な説明】
【考案の詳細な説明】
【技術分野】
【０００１】本考案は、むくみ防止脚用サポーターの応用に関するものである。
【在来の技術】
【０００２】    現在、下半身痩せや脚痩せが話題となっており、その中でも脚のむくみが社会問題化している。しかしこれだけの話題になりながら、普段から簡単に着用して、下半身痩せや脚やせ予防したり、改善したりするものは非常に少なかった。
一部そのようなコンセプトの商品も存在していたが、これらの商品は筒状タイプで非常に締め付けがとても強く、着脱も大変なため一般の人が常時着用するのは困難であった。
【考案が解決しようとする課題】
【０００３】これらのむくみ防止脚用サポーターと同じコンセプトで作られている商品は、様々なメーカーから美容健康衣料として販売されてはいるが、筒状のタイプで締め付けが強く着脱が大変で、サイズの調整が出来ないため、常時着用するのは困難で、あまり普及はしていない。
さらに、リンパ浮腫用の医療用弾性包帯、弾性ストッキング等の商品も同じようなコンセプトで作られているが、非常にきつく着脱が困難なため、高齢者や女性には不向きである。
【課題を解決する為の手段】
【０００４】本考案は着脱が簡単な様に脚サポーター本体▲１▼は筒状で、従来の商品より着脱しやすいように締め付けが弱く、補助ベルト▲２▼が太もも部分を締め付けながら後ろ脇から前をとおり、補助ベルト▲２▼の内側に取り付けた面ファスナーオス▲６▼と反対側で本体脇上部の面ファスナー▲４▼メスと接続する。さらに補助ベルト▲３▼がふくらはぎ部分を締め付けながら後ろ脇から前をとおり、補助ベルト▲３▼の内側に取り付けた面ファスナーオス▲７▼と反対側で本体脇下部の面ファスナー▲５▼メスと接続する。それにより従来と同じ締め付け感が得られ、サイズ調整も可能になる。
【考案の効果】
【０００５】▲１▼  従来の脚サポーターの様に筒状の布だけで締め付けるのではなく、筒状の布▲１▼に補助ベルト▲２▼▲３▼が付いておりそれで締め付けるため、従来不可能だった締め付けの調整が可能になる。
▲２▼  最初は弱い締め付けで履き、その後補助ベルトで締め付けるため、締め付けたい所をピンポイントで締め付けることが出来る。
▲３▼  着脱が容易なため高齢者や女性でも片手で楽にできる。
▲４▼  面ファスナーの代わりにフックアイや、かぎホック、それに類似するもので止める事もできる。
▲５▼  リンパ浮腫用の医療用弾性包帯、弾性ストッキング等の商品も同じようなコンセプトで作られているので応用できる。
▲６▼  デザインの応用が出来る為、ひざを出すタイプ［図８］や上下を分離［図６］することも出来る。
▲７▼  デザインや加工方法が容易であるから、大量生産が出来るメリットがある。
【図面の簡単な説明】
【図１】本考案の補助ベルト付むくみ防止脚用サポーター、側面図である。
【図２】本考案の補助ベルト付むくみ防止脚用サポーター、正面図である。
【図３】本考案の補助ベルト付むくみ防止脚用サポーター、側面図である。
【図４】本考案の補助ベルト付むくみ防止脚用サポーター、正面図である。
【図５】本考案の補助ベルト付むくみ防止脚用サポーター、底面図である。
【図６】本考案の補助ベルト付むくみ防止脚用サポーター、上下分離型着用図である。
【図７】本考案の補助ベルト付むくみ防止脚用サポーター、着用図である。
【図８】本考案の補助ベルト付むくみ防止脚用サポーター、ひざ出し型着用図である。
【符号の説明】１  補助ベルト付むくみ防止脚用サポーター本体
２  上側補助ベルト
３  下側補助ベルト
４  本体上側面ファスナー（メス）
５  本体下側面ファスナー（メス）
６  補助ベルト上側面ファスナー（オス）
７  補助ベルト下側面ファスナー（オス）
８  ほつれ防止縫い部分
0003168613.tif 000003
【図３】
0003168613.tif 000004
【図４】
0003168613.tif 000005
【図５】
0003168613.tif 000006
【図６】
0003168613.tif 000007
【図７】
0003168613.tif 000008
【図８】
0003168613.tif 000009
【手続補正書】
【提出日】平成23年3月22日(2011.3.22)
【手続補正１】
【補正対象書類名】図面
【補正対象項目名】図１
【補正方法】変更
【補正の内容】
【図１】
0003168613.tif 000010
【手続補正２】
【補正対象書類名】図面
【補正対象項目名】図２
【補正方法】変更
【補正の内容】
【図２】
0003168613.tif 000011
(57)【要約】【課題】介助長の使用時、起立、着席動作、さらに立位での移動動作時における杖への依存を検討し、さらに歩行時のみにとどまらず休憩時に使用者が休めるように検討することまた、自立支援の立場と杖への依存性をなくすためにできるときは力を使う休む時は休むという課題を解決することとした。【解決手段】杖本体と、この杖本体の上端に設けられたあご当て部と、更に前記杖本体の下端に設けられた滑り止め用座部と、前記あご当て部と滑り止め用座部との間でしかも前記杖本体に上下にスライドして任意の位置で固定される手受け部と成したことを特徴とした介助長杖。【選択図】図１
0003168627.tif 000002
【実用新案登録請求の範囲】
【請求項１】
杖本体と、この杖本体の上端に設けられたあご当て部と、更に前期杖本体の下端に設けられた滑り止め用座部と、前記あご当て部と滑り止め用座部との間で、しかも前記杖本体に上下にスライドして任意の位置で固定される手受け部と成したことを特徴とした介助長杖。
【請求項２】
前記手受け部は、杖本体が挿通する中央孔を形成し、この杖本体を巻きつけたリング部及びこのリング部より中央孔に連なる側孔に延びた上下片とで構成された締め付け具と、更に上下片間に備えられた手受け部の外部より締め付けるボルトとで構成されたことを特徴とする請求項１記載の介助長杖。
【考案の詳細な説明】
【技術分野】
【０００１】  本考案は歩行時、座位からの起立、更に立位からの着席に際し、杖の中間位置を手先にて保持して基点としてその動作を助成する介助長杖に関するものである。
【背景技術】
【０００２】  従来のこの種介助長杖は、歩行を補助するための握り部は、体重を支える機能をしていた。  それ故に、杖に過度に依存することとなり、自立支援の機能を損なうことともなる。【０００３】  特に、従来の杖では歩行を補助するために高さの調整をして杖への依存性を増し、ややもすると自立支援という機能を損なうこととなる。  また、歩行時のみを想定して休憩時のことを想定してなかった。そのため道端で杖に寄りかかることができずに杖に頼ると共に、下半身の不安定から震えながら休憩する人をよく見かけている。  そこで休憩時には平常心で休憩できるように、あご当て部を用いて姿勢を維持して効果的に休めるようにしていた。【０００４】  これらの背景から下記文献が存在する。  即ち、取っ手を作ることで明らかに杖に依存して立つという自立を促さず逆に取っ手に依存することで体力を低下させるという悪循環があった。  さらに高さを調整してまで杖に依存させるところが便利な故に体力を低くくさせる不自然な姿勢をとり、悪循環を生んでいる。【特許文献】特開２００８−２２０９０９
【０００５】
【特許文献１】
【特許文献２】
【考案の概要】
【考案が解決しようとする課題】
【０００６】  介助長の使用時、起立、着席動作、さらに立位での移動動作時における杖への依存を検討し、さらに歩行時のみにとどまらず休憩時に使用者が休めるように検討することまた、自立支援の立場と杖への依存性をなくすためにできるときは力を使う休む時は休むという課題を解決することとした。【０００７】  歩行時は杖に依存しないように持ち手として柄などのグリップを採用せず、できるだけ自力で歩行するように配慮した。
【課題を解決するための手段】
【０００８】  本考案は、杖本体と、杖本体の上端に設けられたあご当て部と、更に前記杖本体の下端に設けられた滑り止め用座部と、前記あご当て部と滑り止め用座部との間で、しかも前記杖本体に上下にスライドして任意の位置で固定される手受け部とで成したものである。  更に本考案は、前記手受け部は、杖本体が挿通する中央孔を形成し、この杖本体を巻きつけたリング部及びこのリング部より中央孔に連なる側孔に延びた上下片とで構成された締め付け具と更に上下片間に備えられた手受け部の外部より締め付けるボルトとで構成されたものである。
【考案の効果】
【０００９】（１）請求項１により、この考案の効果は座位からの起立・立位からの着席、歩行時においてできるだけ自力を使うことによって自立を支援するという効果がある。【００１０】更に休憩時には姿勢を維持したまま休憩できるようにすることにより、自立支援の効果がある。【００１１】  また、休憩時のことは想定されていなかったので、休む時は姿勢を維持したまま休めるようにあご当て部で休むということを新たに機能として追加した。【００１２】（２）請求項２により、まず手受け部により、自分の立ちやすい場所にこれを配置し、できるだけ自力で起立・着席ができるように簡単な構造にした。【００１３】  座位よりの起立時・着席時に自力で力を出せるように手受け部により座位からの起立・着席を補助する最小限の力は必要とした。【００１４】  従来の発明は休憩時のことは想定されていなかったのであご当て部でのどを突いてはいけないので形状に考慮してあごを当てるように配慮した。
【図面の簡単な説明】
【００１５】
【図１】介助長杖の正面図
【図２】同上のＡ−Ａ拡大断面図
【図３】同上のＢ−Ｂ断面図
【図４】同上断面背面図
【考案を実施するための形態】
【００１６】以下、本考案を実施例として掲げた図面に基づいて説明すると、図１は介助長杖の正面図であって、金属・合成樹脂、木材等にて形成された杖本体１の上端１ａには金属・合成樹脂・木材・綿・ウレタン等で形成されたあご当て部２が設けられている。  更に、杖本体１の下部１ｂにはゴム・合成樹脂等で形成された滑り止め用座部３が設けられている。  しこうして、あご当て部２と滑り止め用座部３との間には上下にスライドして任意の位置で固定されるゴム・合成樹脂・木材・ウレタン等で形成された手受け部４が備えられている。  上記手受け部４は、図２、３、４に示す如く、杖本体１が挿通する中央孔５を形成しておりこの中央孔５には杖本体１を巻き付けたリング６が位置している。さらに中央孔５には側孔７を連ねており、この側孔にリング６を収納して、手受け部４を杖本体１に外部より締め付けボルト８で固定する。
【産業上の利用可能性】
【００１７】高齢者や障害者の自立を促す補助杖として通常時の歩行以外にも利用可能であり、部品自体が簡単な構造のため色々な場面で部品単体での使用が可能になります。
【符号の説明】
【００１８】１杖本体２あご当て部３滑り止め用座部４手受け部５中央孔６リング７側孔８締め付けボルト
【図１】
0003168627.tif 000003
【図２】
0003168627.tif 000004
【図３】
0003168627.tif 000005
【図４】
0003168627.tif 000006
(57)【要約】      （修正有）【課題】ハンガー、傘等フックのついたものをテーブル等の上面端部に引っ掛けた時に、容易に滑り落ちないよう保持するための滑り止めを提供する。【解決手段】ゴム等で作られた板状形成体１の平たい面の片側に窪み２を設け、反対側を底面としてテーブル等の上面に載置し、窪みにフックを掛けることで、滑り止めが係止機能として作用し、外力によるハンガーや傘等がテーブル等から滑り落ちるのを防止できる。【選択図】図１
0003168629.tif 000002
【実用新案登録請求の範囲】
【請求項１】
ゴムや合成樹脂等で成形された板状の滑り止めであって、該滑り止めの平たい面に窪みが設けられてなることを特徴とする滑り止め。
【考案の詳細な説明】
【技術分野】
【０００１】  本考案は、ハンガーや傘等、フックの付いた物をテーブル等の上面端部に引っ掛ける場合にハンガーや傘等が滑り落ちるのを防止するための滑り止めに関する。
【背景技術】
【０００２】  ハンガーや傘等をテーブル等の上面端部に引っ掛ける場合、ハンガーや傘等のフックの先端をテーブル等の上面端部に直接引っ掛けて使用していた。【０００３】  一般的にテーブル等は木製、合成樹脂製、金属製であり、ハンガーや傘等のフックをテーブル等の上面端部に引っ掛けた時に風や振動、あるいは、ハンガーや傘等を軽く触れるといった外力でハンガーや傘等が滑り落ちやすく、滑り落ちたハンガーや傘等を再度引っ掛けるのは時間的にも、労働的にも負担であり、また滑り落ちる事により、ハンガーに掛けられた衣服や傘等にほこり等が付着し汚れてしまう可能性がある。さらに、テーブル等の上面に直接掛けると、引っ掛けた物の重さや滑りによりテーブル等の上面に傷がつく恐れがある。
一方で、ハンガーや傘等が滑り落ちるのを防止するために特開２００６−１４１５７８号公報に滑り止めが提案されている。
【先行技術文献】
【０００４】
【特許文献】
【特許文献】  特開２００６−１４１５７８号  公報
【考案の概要】
【考案が解決しようとする課題】
【０００５】  上記の滑り止めは、平面形状をなす本体と、この本体表面に形成され、傘や杖の屈曲した柄の先端を当てて止める突起部分と、本体裏面に設けられ、台状物に貼り付けるための接着手段と、を有する傘や杖の滑り止めであり、ハンガーや傘等が滑り落ちるのを防止でき、台状物を傷つけるのを防止できるものの、滑り止めをテーブル等に接着するものであるので、使用場所を変更することができず、台状物の美観も損なわれていた。
【課題を解決するための手段】
【０００６】  本考案は、上記の課題を解決するためになされたもので、ゴムや合成樹脂等で成形された板状の滑り止めであって、該滑り止めの平たい面に窪みが設けられてなることを特徴とする滑り止めである。
【考案の効果】
【０００７】  本考案の滑り止めは、上記のように構成され、ハンガーや傘等のフック先端をテーブル等の上面に載置された滑り止めに設けられた窪みに引っ掛けることで、テーブル等の上面と滑り止めとの摩擦力、滑り止めとフックとの摩擦力、窪みの曲面による水平方向への抑止力により、ハンガーや傘等の水平方向の動きを抑制し、また、外力によって上下方向の動きが発生しても、ハンガーや傘等が滑り止めから容易に外れることを防止できる。したがって、ハンガーや傘等がテーブル等から滑り落ちることを防止でき、再度引っ掛けるための時間的、労働的負担も軽減でき、また滑り落ちる事によるハンガーに掛けられた衣服や傘等にほこり等が付着して汚れてしまうことも防止できるという効果を有する。さらに、テーブル等に載置された滑り止めにハンガーや傘等のフックを引っ掛けるので、テーブル等を傷つけることが少なくなることはもちろん、テーブル等に接着するものでは無いため容易に使用場所を変更でき、粘着性も有していないのでほこりがつきにくく、美観を損なわない滑り止めを提供することができるという効果を有する。
【図面の簡単な説明】
【０００８】
【図１】本考案である滑り止めの斜視図である。
【図２】本考案の滑り止めの使用例を示す図である。
【考案を実施するための形態】
【０００９】  以下、本考案の実施例について図面を用いて説明する。
滑り止め１は４ｃｍ×４ｃｍ×１ｃｍの板状をなしており、該滑り止め１の平たい面の一方の面に直径３ｃｍで深さ４ｍｍの窪み２が１個設けられている。なお、滑り止め１は合成ゴムで成形されている。
【００１０】  次に、本考案の滑り止めの使い方について、洗濯物等を部屋干しする場合で説明する。まず、滑り止め１をテーブル３の上面のハンガーを掛けたい位置に窪み２を上にして載置する。次に、滑り止め１に設けられた窪み２に洗濯物が掛けられたハンガー４のフック部を引っ掛けた状態で洗濯物の部屋干しをする。そして、洗濯物が乾燥して後、洗濯物をクローゼット等に収納する時はハンガー４のフック部を滑り止め１から外し、滑り止め１をテーブル３から摘み上げて所定の場所に保管する。
【００１１】  なお、本考案の滑り止めは上記の実施の形態に限定されるものではなく、例えば、材料は合成ゴムの他に天然ゴムでも良く、単一の材料とは限らず、異なる材料で層を形成しても良い。さらに、合成樹脂を使用する場合は、柔軟性を有し、適度に摩擦係数を有するものであれば良い。また、窪みの数は複数であっても良く、また、窪みを溝にしても良い。もちろん滑り止めの大きさや窪みの大きさも適宜選択することができ、形も矩形や円形に限られず、動物の形等にすることもできる。
また、使い方については洗濯物等を部屋干しする場合で説明したが、喫茶店やレストラン等で濡れた傘等をテーブルやカウンターに引っ掛ける場合であっても同様に使うことができ、同様の効果を得ることができる。
【符号の説明】
【００１２】  １  滑り止め
２  窪み
３  テーブル
４  ハンガー
【図１】
0003168629.tif 000003
【図２】
0003168629.tif 000004
(57)【要約】      （修正有）【課題】顔の細部が精密に反映されなくなり、顔の皺や傷を必要以上に見えなくした鏡を提供する。【解決手段】鏡本体の透明板の透明度を低くするか、透明板の裏側に塗る銀の純度を下げる、又は透明度の低いフィルムシートを貼ることで、鏡の反射を鈍くする。【選択図】図２
0003168621.tif 000002
【実用新案登録請求の範囲】
【請求項１】
鏡の本体である透明板の透明度を低くして、鏡の反射を鈍くした鏡。
【請求項２】
鏡を製作する際に、透明板の裏側に塗る銀の純度を下げて、鏡の反射を鈍くした鏡。
【請求項３】
標準の既成鏡板に、透明度の低いフィルムシートを貼って、鏡の反射を鈍くした鏡。
【考案の詳細な説明】
【技術分野】
【０００１】本考案は鏡の反射に関するものであり、鏡の反映度を低くすることによって、自分の顔を鏡に映した際に、顔の細部が精密に反映されなくなり、顔の皺や傷を必要以上に見えなくしたものである。
【背景技術】
【０００２】従来の鏡は、鏡本体の透明板の透明度を高め、裏面の反射金属の塗布技術を向上させることによって、鏡の反映をより精密なものにする研究がなされてきた。（図１）
【考案の開示】
【考案が解決しようとする課題】
【０００３】しかし、老衰によって顔に皺ができたり、病気や事故によって顔に傷がある人にとっては、精密な反映が本人を落胆させる場合があった。
【課題を解決するための手段】
【０００４】そこで、鏡の透明板の透明度を低くして、鏡の反射を鈍くした鏡を考案した（図２）。
この反映度を低くした鏡により、顔の皺や傷を見えにくくした。
【考案の効果】
【０００５】よって、本考案の鏡を使用することにより、自分の顔の皺や傷が精密に反映されなくなり、従来の鏡を使用するよりも、気分が楽になる。
【考案を実施するための最良の形態】
【０００６】本考案に係る鏡は、鏡の反映度を低下させることによって、顔の皺や傷を見えにくくするものであるが、極端に反映度を下げれば、鏡本来の使用目的を失ってしまうので、鏡の反映度は、７０パーセント程度が最適である。
【図面の簡単な説明】
【０００７】
【図１】透明度の高い従来の鏡の断面図である。
【図２】本考案にかかる、透明度の低い鏡の断面図である。
【符号の説明】
【０００８】１        透明度の高い鏡
２        透明度の低い鏡
３        反射金属
４        光
５        反射光
【図１】
0003168621.tif 000003
【図２】
0003168621.tif 000004
(57)【要約】      （修正有）【課題】長期使用に耐え、貫通抵抗、遮光性、透水性、取り扱い易い防草シートを提供する。【解決手段】ポリエステル不織布を圧縮した硬質タイプのシート１−Ｂは耐久性が強いが硬いので地面とは馴染み難い性質を持つ。やわらかいタイプのシート１−Ａは地面と馴染み易いが耐久性は弱い。この二種類のタイプのシートにのりを吹きつけ熱と圧力をかけて張り合わせた二重構造からなるシートとする。これにより、必要サイズに容易に裁断できる。この両面が使用目的に合わせての使い分け、耐久性と貫通抵抗に強く地面にもなじむ、繰り返し使用も可能な防草シートとする。この二重構造の防草シートで光を遮断できるので雑草の生育を妨げることが出来る。【選択図】図１
0003168626.tif 000002
【実用新案登録請求の範囲】
【請求項１】
遮光性と耐久性と貫通抵抗に強いポリエステル不織布を圧縮し硬質に仕上げたシートと土になじみやすいやわらかいポリエステル不織布を上下に張り合わせた通気性と透水性に優れた地面の保温効果が有る、二重構造からなる防草シート。
【考案の詳細な説明】
【技術分野】
【０００１】  本発明は雑草の生育を止める防草シートに関し、遮光性、透水性、下からの雑草が生えるのを抑える貫通抵抗を持つ雑草の生育を阻止するシートに関する。
【背景技術】
【０００２】農作物の生育を邪魔する雑草を人力で取り除く為には大変な労力が必要であったが除草剤を使用しても一時的であり、公害問題にもなり人体の悪影響は計り知れない。
また庭園や中央分離帯の植え込みや墓地やあぜ道等美観維持の為雑草を除去される地面に防草シートを敷設することはなされていた。
【先行技術文献】
【０００３】
【特許文献】
【特許文献】特許公開２０１０−２５２６３０
【考案の概要】
【考案が解決しようとする課題】
【０００４】雑草シートを使用することで猛毒の枯葉剤・除草剤を使用しない自然農業が容易に行える、都市景観に対する美的意識が高まる近年、従来の防草シートでは長期使用に耐えるもの、貫通抵抗、遮光性、透水性、取り扱い易いものをとの要望が高っている。
【課題を解決するための手段】
【０００５】本発明はポリエステル不織布を圧縮した硬質タイプのシート１−Ｂこのタイプは耐久性が強く雑草が下から生えても貫通抵抗に強くシートを突き破っては出てこない、また通気性と透水性が有る、遮光性も強いので防草シートとしては優れているが硬いので地面とは馴染み難い性質を持つ、やわらかいタイプのシート１−Ａは地面と馴染み易く通気性と透水性も有るが耐久性は弱いまた下から生えてくる雑草を止める貫通抵抗の力は硬質タイプのシート１−Ｂよりもやや弱いこの二種類のタイプのシートにのりを吹きつけ熱と圧力をかけて張り合わせた二重構造からなるシート図１である、このシートはハサミで切ることも出来る、必要サイズに容易に裁断できる、また作物生育の為に必要な穴を開けての使用が可能である、硬質タイプは耐久性に優れているが土となじまない、やわらかい面は地面と容易になじみまた上面に使用しては作物に傷をつけることを避けることが出来る、この両面が使用目的に合わせての使い分けが出来る、今までは硬質かやわらかいどちらかのシートのみであったが両方兼ねて耐久性と貫通抵抗に強く地面にもなじむ地面には適度な水分乾燥防止と空気が流れ保温効果も有り水性肥料は透水可能で作物の生育向上には効果が甚大で有り、この二重構造の防草シート図１で光を遮断できるので雑草の生育を妨げることが出来る、耐久性も有り畑や花壇などでは繰り返し使用も可能な防草シート図１である。
【考案の効果】
【０００６】この発明の二重構造の防草シート図１は安全性、耐久性、通気性、貫通抵抗、遮光性、透水性、取扱性に優れている。
【図面の簡単な説明】
【０００７】
【図１】やわらかい不織布と硬質不織布を張り合わせた断面図
【図２】やわらかい不織布
【図３】硬質不織布
【考案を実施するための形態】
【０００８】本発明の防草シートは、ポリエステル不織布を圧縮し硬質に仕上げたシートとやわらかいポリエステル不織布シートを張り合わせた二重構造である。
【実施例】
【０００９】安全性、耐久性、通気性、貫通抵抗、遮光性、透水性に優れているので、除草剤を使用せずに自然農業が容易であり、地面には適度な水分と空気が流れ、この防草シートで光を遮断できるので余分な雑草だけの生育を妨げることが出来る。
【産業上の利用可能性】
【００１０】高架下、空き地、発電所、変電所敷地内、道路、お墓地面、等雑草を排除したい場所にはこの雑草シートを地面に引くことで長期的に人的の除草作業から開放される。
【符号の説明】
【００１１】１−Ａ  やわらかい不織布を示す
１−Ｂ  硬質の不織布を示す
【図１】
0003168626.tif 000003
【図２】
0003168626.tif 000004
【図３】
0003168626.tif 000005
(57)【要約】      （修正有）【課題】シンキングラインで深さのある底を釣る場合に、正確にタナを釣れるフライフィッシングラインを提供する。【解決手段】ウェイトフォワードシンキングラインの先端にフローティングラインのティップを持つ。又は、シンキングのシューティングヘッドライン・ダブルテーパーラインの片側、もしくは両側にフローティングラインのティップを持つ。【選択図】図１
0003168601.tif 000002
【実用新案登録請求の範囲】
【請求項１】
フライフィッシング用のラインの新しい形（デザイン）である。
ウェイトフォワードシンキングラインの先端にフローテイングラインのティツプを持つフライフィッシングライン。
【請求項２】
フライフィッシング用のラインの新しい形（デザイン）である。
シンキングのシューテイングヘッドライン・ダブルテーパーラインの片側、もしくは両側にフローテイングラインのティツプを持つフライフィッシングライン。
【考案の詳細な説明】
【考案の概要】
【考案が解決しようとする課題】フライフィッシングにおいてシンキングラインを使用する場合、そのシンクレートを考慮し、カウントダウンをして、魚の泳層まで沈めリトリーブして釣りをする。
その場合、ラインの番手や長さ、リーダーの存在等によりかなり曖昧なイメージの釣りとなってしまう。
深いタナを一定に釣るにはかりの経験と熟練が要求される。
さらに、未知なる深度、起伏のある湖底を正確にフライをリトリーブすることは非常に困難を極める。根ガカリも多発してくる。
水深のある所をシンクレートの高いラインで狙うので、とどうしてもその沈下速度ゆえ「速い釣り」に終始してしまう。
【課題を解決するための手段】▲１▼  高いシンクレートを使ったシンキングセクションにより素早く湖底に着低させることができる。
▲２▼  着低後はリトリーブするが、先端のフローテイングティップの浮力により、リーダーとフライを底より上方向に持ち上げフライの泳層を確保する。
このフローテイングティップを備えることにより、底をトレースしながらもフライを根掛かりの危機から開放するとともに、起伏のあるボトム付近を確実に泳がせて底付近の魚にアピールできる
▲３▼  シューテイングヘッドの場合、両先端に異なる長さのフローテイングティップを備えることで、接続部を使い分け泳層を変えることも可能となる。
【考案の効果】このラインＡを使用することにより次のような効果が期待出来る。
▲１▼  より早くラインを底に着低させることが可能。
▲２▼  先端のフローテイングティップの浮力によりリーダーとフライを底より上方向に持ち上げリトリーブ時のフライの泳層を確保できる。
▲３▼  底より上方向にフライの泳層を確保するので根掛かりを減少できる。
▲４▼  起伏のある地形でも確実にフライを浮かせてリトリーブすることができる
▲５▼  ボトム付近でスローな釣りが可能となる。
▲６▼  特にボトム付近を泳ぐ魚には常にアピールし続けることができ、その演出で釣果の向上が期待できる。
【図面の簡単な説明】
【図１】本考案の道具Ａの平面図である。（ウエイトフォワードラインの形状）
【図２】本考案の道具Ａの平面図である。（シューティングテーパー・ダブルテーパーラインの形状）
【図３】本考案の実施例を示す図面である。ラインＡを使用した釣りのイメージ
【符号の説明】  ▲１▼  本考案のラインＡ
▲２▼  リーダー
▲３▼  フライ
▲４▼  ランニングライン
【図１】
0003168601.tif 000003
【図２】
0003168601.tif 000004
【図３】
0003168601.tif 000005
【手続補正書】
【提出日】平成23年3月23日(2011.3.23)
【手続補正１】
【補正対象書類名】実用新案登録請求の範囲
【補正対象項目名】全文
【補正方法】変更
【補正の内容】
【実用新案登録請求の範囲】
【請求項１】
フライフィッシング用のラインであって、ウェイトフォワードシンキングラインの先端にフローテイングラインのティツプを持つフライフィッシングライン。
【請求項２】
フライフィッシング用のラインであって、シンキングのシューテイングヘッドライン・ダブルテーパーラインの片側、もしくは両側にフローテイングラインのティツプを持つフライフィッシングライン。
【手続補正２】
【補正対象書類名】明細書
【補正対象項目名】全文
【補正方法】変更
【補正の内容】
【考案の詳細な説明】
【考案の概要】
【考案が解決しようとする課題】フライフィッシングにおいてシンキングラインを使用する場合、そのシンクレートを考慮し、カウントダウンをして、魚の泳層まで沈めリトリーブして釣りをする。
その場合、ラインの番手や長さ、リーダーの存在等によりかなり曖昧なイメージの釣りとなってしまう。
深いタナを一定に釣るにはかりの経験と熟練が要求される。
さらに、未知なる深度、起伏のある湖底を正確にフライをリトリーブすることは非常に困難を極める。根ガカリも多発してくる。
水深のある所をシンクレートの高いラインで狙うので、とどうしてもその沈下速度ゆえ「速い釣り」に終始してしまう。
【課題を解決するための手段】▲１▼  高いシンクレートを使ったシンキングセクションにより素早く湖底に着低させることができる。
▲２▼  着低後はリトリーブするが、先端のフローテイングティップの浮力により、リーダーとフライを底より上方向に持ち上げフライの泳層を確保する。
このフローテイングティップを備えることにより、底をトレースしながらもフライを根掛かりの危機から開放するとともに、起伏のあるボトム付近を確実に泳がせて底付近の魚にアピールできる
▲３▼  シューテイングヘッドの場合、両先端に異なる長さのフローテイングティップを備えることで、接続部を使い分け泳層を変えることも可能となる。
【考案の効果】このフライフィッシングラインを使用することにより次のような効果が期待出来る。
▲１▼  より早くラインを底に着低させることが可能。
▲２▼  先端のフローテイングティップの浮力によりリーダーとフライを底より上方向に持ち上げリトリーブ時のフライの泳層を確保できる。
▲３▼  底より上方向にフライの泳層を確保するので根掛かりを減少できる。
▲４▼  起伏のある地形でも確実にフライを浮かせてリトリーブすることができる
▲５▼  ボトム付近でスローな釣りが可能となる。
▲６▼  特にボトム付近を泳ぐ魚には常にアピールし続けることができ、その演出で釣果の向上が期待できる。
【図面の簡単な説明】
【図１】本考案のフライフィッシングラインの平面図である。（ウエイトフォワードラインの形状）
【図２】本考案のフライフィッシングラインの平面図である。（シューティングテーパー・ダブルテーパーラインの形状）
【図３】本考案のフライフィッシングラインを使用した実施例を示す図面である。
【符号の説明】▲１▼  本考案のフライフィッシングライン
▲２▼  リーダー
▲３▼  フライ
▲４▼  ランニングライン
(57)【要約】      （修正有）【課題】雪を引かくときに、かいた雪が雪かき板にくっつき難く、作業能率が高い雪かきを提供する。【解決手段】本雪かきは、作業をする際、軽くて効率良く使えるように、雪かき板と柄は、アルミ材を使い、雪かきを強固にする為に３本の鶴首状の連結棒は、鉄材を使用した。更に、３本の鶴首状の鉄棒で、雪かき板と、柄との間に、間隔を作り、かいた雪が、分厚く盛り上がっても鉄棒の間から、雪かき板を乗り越え、柄の根元に雪が付着ない構造にした。又、本雪かきを、鍬の様に使えば、薄い氷も、こきざみに割って引っかく事もできる。【選択図】図１
0003168610.tif 000002
【実用新案登録請求の範囲】
【請求項１】
雪かき板と柄は、軽くするために、アルミ材を使い、雪かき板と柄の間は、硬く固定するために、鉄材の棒を使用した。
雪かき板と柄は、３本の鶴首状の鉄棒で、間隔を開け、ボルト、ナットで固定をし、雪が雪かきの根元に付着しない構造にした。
【考案の詳細な説明】
【技術分野】
【０００１】本考案は、軽くて丈夫で、用途が多様な雪かきに関するもの。
【背景技術】
【０００２】従来から、スノーダンプのような雪かきはあるが、押すタイプのものは、力がない者には、使いにくい。
それに対して、特開２００８−７５４３８号公報のような、柄の先に雪かき板をつけて、引っ張って使うタイプのものは、引っかく雪の量が見えるので使いやすい。
【先行技術文献】
【特許文献】
【０００３】
【特許文献１】  特開２００８−７５４３８号公報
【考案の概要】
【考案が解決しょうとする課題】
【０００４】しかし、この先行技術の雪かきは、柄に直接雪かき板が固定されているので、雪を引かくときに、かかれた雪が柄の根元にくっついて、重く、付いた雪が取れにくく、作業能率が悪い。
【課題を解決するための手段】
【０００５】そこで、雪かき板と柄は、軽くするためにアルミ材を使い、雪かき板と柄の間は固く固定するために、３本の鶴首状の鉄棒で、互いに間隔が開くように、強固に固定した。
【考案の効果】
【０００６】雪かきを使う時、雪かき板は鉄棒で固定されているから軽く、雪を多量にかいて、雪かき板に雪が盛り上がっても、鉄棒の間から雪かき板を乗り越えてしまい、柄の根元に雪がくっっかなく、また雪かき板は、強固に固定されているので、雪が路面にアイスバーン状になっているときは、鍬の様に使って、アイスバーンを細かく砕く事ができる。
【図面の簡単な説明】
【０００７】
【図１】本考案実施例の雪かきの斜視図である。
【考案を実施するための形態】
【０００８】雪かき板と柄に間隔が開くように、３本の鶴首状の鉄棒を取り付け固定した
【実施例】
【０００９】雪かきアルミ板の、大きさは、縦、１０ｃｍ、横６０ｃｍ、厚さ、２ミリで、横向きに使い、雪かき板と柄の間隔は、１３ｃｍぐらいで鶴首状の４分鉄筋を使ばよい。
柄の長さは、１５０ｃｍぐらいが適当である。
大きさは、大人では、丁度良く、これ以上大きくなれば、操作が大変である。
図面１で説明すると、雪かき板に、３個所の穴をあけ鶴首状の鉄棒をナットで固定し、更に、柄の先端部分と、鶴首状の鉄棒を２個所のナットで柄に固定した。
【産業上の利用可能性】
【０００１０】雪かき除去をはじめ、物をかき集める仕事、、土地や砂、穀類等、たいらになるめる仕事。
又、鍬の様に使えば、路面の薄いアイスバーンも、細かく粉砕するこことが出来る。
【符号の説明】
【０００１１】１  雪を引っかく、雪かき板。
２  柄に雪かき板を、固定する、鶴首状の３本の鉄棒。
３  雪かきの柄。
４  雪かき板と柄を、固定するボルト、ナット
【図１】
0003168610.tif 000003
【手続補正書】
【提出日】平成23年3月24日(2011.3.24)
【手続補正１】
【補正対象書類名】実用新案登録請求の範囲
【補正対象項目名】全文
【補正方法】変更
【補正の内容】
【実用新案登録請求の範囲】
【請求項１】
「雪かき板と柄は、軽くするために、アルミ材を使い、雪かき板と柄の間は、硬く固定するために、鉄材の棒を使用し、
雪かき板と柄は、３本の鶴首状の鉄棒で、間隔を開け、ボルト、ナットで固定をし、雪が雪かきの根元に付着しない構造にしたことを特徴とする雪かき。」
(57)【要約】【課題】飲料の自動販売機の商品入れ替え時に簡単で作業効率のよい補充品目管理板を提供する。【解決手段】自動販売機の販売製品変更時の商品補充の管理作業を簡素化し、又補充時の作業効率を上げるために、各商品投入口ごとに商品がわかるように、表面は商品名を記入できる枠を設け、書かれた文字が布やスポンジで簡単に消せる素材でコーティングされ、裏面は、磁石や粘着素材を使用した容易に取り付けられる構造の補充商品管理板を提供する。【選択図】図１
0003168653.tif 000002
【実用新案登録請求の範囲】
【請求項１】
飲料の自動販売機において、飲料補充用投入口にセットし、各投入口ごとに品名を記入できる枠を印刷し、枠が書かれた表面は、布などで簡単に消せる素材でコーティングされ、裏面は簡単に貼り付けられる磁石を使用した構造を持つ補充品目管理板。
【請求項２】
飲料の自動販売機において、飲料補充用投入口にセットし、各投入口ごとに品名を記入できる枠を印刷し、枠が書かれた表面は、布などで簡単に消せる素材でコーティングされ、裏面は簡単に貼り付けられる粘着材料を使用した構造を持つ補充品目管理板。
【考案の詳細な説明】
【技術分野】
【０００１】
本考案は、飲料自動販売機において、商品の補充、詰め替え作業を円滑に行うための、補充商品管理板に関する。
【背景技術】
【０００２】
従来、飲料自動販売機に商品を補充投入する際、投入口ごとに商品がわかるように、紙やガムテープ等を貼りつけそれに商品名を記入し管理していた。商品を他のブランドに入れ替える際、商品名を消して隅に書き加えるか、新しい紙などを新たに貼らなければならず、見にくなり自販機内が煩雑になる問題や手間がかかり作業効率を低める問題があった。
【考案の開示】
【考案が解決しようとする課題】
【０００３】
解決しようとする問題点は、頻繁に行われる販売商品の変更対し、効率よく、簡単に対応できる管理板を提供することにある。
【課題を解決するための手段】
【０００４】
本考案は、飲料自動販売機の商品の投入口ごとに記入できる枠とマジックインキなどで簡単に記入できかつ布やスポンジで簡単に消せる表面性質を持ち、その裏側は自動販売機飲料補充口付近に簡単に貼り付けられる、性質を有する管理板にある。
【考案の効果】
【０００５】
本考案においては、自動販売機飲料補充商品の変更時の作業量を減らし、又補充品目の判読ミスをなくし、自動販売機の商品詰め替え作業の効率アップに役立つ。
【考案を実施するための最良の形態】
【０００６】
飲料自動販売機補充商品において、商品入れ替え時及び補充投入時の効率を上げるための管理板の構造を実現した。
【実施例１】
【０００７】
図１は表面に投入口ごとの枠が印刷された板の図である。
【０００８】
図２は管理板の表面と裏面の素材の構成層の図である。
【０００９】
図３は、管理板が自販機の補充口付近にセットされた時の図である。
【実施例２】
【００１０】
図４は、裏面に粘着材を使用した場合の素材の構成図である。
【産業上の利用可能性】
【００１１】
補充商品管理板を商品投入口の近くにセットすることにより、商品の補充が効率よく行うことができ、販売商品の変更時の管理にも簡単に対応できる、作業効率の向上につながる。
【図面の簡単な説明】
【００１２】
【図１】補充品目管理板の形状である。
【図２】裏面が磁石の場合の管理板の層構造である。
【図３】管理板を自販機投入口付近にセットした図である
【図４】裏面が粘着材の場合の管理板の層構造である。
【符号の説明】
【００１３】
１    商品名を記入する枠
２    表面のコーティング層
３    印刷材料層
４    裏面磁石層
５    自動販売機
６    裏面粘着材層
【図１】
0003168653.tif 000003
【図２】
0003168653.tif 000004
【図３】
0003168653.tif 000005
【図４】
0003168653.tif 000006